(57)【要約】【課題】装置の側面に操作ボタンを設けた携帯端末装置において、一方の筐体を他方の筐体に対して相対変位させた場合に、その操作ボタンによる誤動作を防止し、操作機能の利便性の向上を図るようにした携帯端末装置を提供すること。【解決手段】互いに重ね合わされる２つの筐体が、これら筐体の厚さ方向に延びる連結部を中心として回転可能に連結され、前記筐体の側面９に設けられたサイドキー２０と、前記両筐体の相対的な回転位置に応じて、前記サイドキー２０を、前記側面９から突出した位置と同側面下に没した位置との間において移動させる移動機構とを備えることを特徴とする。【選択図】    図１
2005051301.tif 000002
【特許請求の範囲】
【請求項１】
互いに重ね合わされる２つの筐体が、これら筐体の厚さ方向に延びる連結部を中心として回転可能に連結され、
前記筐体の側面に設けられたサイドキーと、前記両筐体の相対的な回転位置に応じて、前記サイドキーを、前記側面から突出した位置と同側面下に没した位置との間において移動させる移動機構とを備えることを特徴とする携帯端末装置。
【請求項２】
前記移動機構が、前記連結部と共に回転可能に設けられた回転部材と、該回転部材の回転動作を、前記サイドキーの出没方向の動作に変換する連動機構とを備えることを特徴とする請求項１に記載の携帯端末装置。
【請求項３】
前記回転部材がピニオンギアであり、前記連動機構がラックギアを含むことを特徴とする請求項２に記載の携帯端末装置。
【請求項４】
前記サイドキーが前記側面下に没した位置に配されたとき、該サイドキーの機能を無効にする切替スイッチを備えることを特徴とする請求項１から請求項３のいずれか一つに記載の携帯端末装置。
【請求項５】
前記両筐体が互いに重ね合わせられたとき、前記サイドキーが前記側面から突出した位置に配され、前記両筐体が互いに開かれたとき、前記サイドキーが前記側面下に没した位置に配されることを特徴とする請求項１から請求項４のいずれか一つに記載の携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年、携帯端末装置においては、電話機能・カメラ機能など各種機能を複数搭載したものが普及してきている。このような携帯端末装置においては、例えば携帯電話機のように、一方の筐体と他方の筐体とが折り畳み可能に連結された構成となっており、一方の筐体に表示部が設けられるとともに、他方の筐体に各種操作キーが設けられ、これら表示部を目視しつつ操作キーを操作することによって各種機能が切り替えられるようになっている。この種の携帯電話機においては、両筐体を互いに開閉させた際に操作キーが筐体から突出することによって生ずる不都合を解消するため、開閉に連動して操作キーが変位するように構成されたものが提案されている。例えば、筐体の一方の面に表示部が設けられ、他方の筐体に操作キーが設けられたものにあっては、両筐体を相互に閉じた場合に、他方の筐体から操作キーの先端が突出していると、その操作キーによって表示部が傷つけられるおそれがあるため、両筐体を閉じた状態では操作キーの先端が他方の筐体内に没し、両筐体を開いた状態では操作キーの先端が外方へ突出するようにしたものが提案されている（例えば、特許文献１参照。）。
【０００３】
【特許文献１】
特開平０７−２８８８６０号公報
【０００４】
【発明が解決しようとする課題】
ところで、上記のように両筐体を相互に折り畳む構成の場合は、一方の筐体の折り畳まれる内面側に設けられた操作キーを、その先端が内面から突出したり内面下に没したりするように移動可能な構成をとることは可能であるが、筐体の側方にそれら操作ボタンを設けた場合には、折り畳み動作と側方の操作ボタンとを連動させる機構を採用するのは困難であった。
【０００５】
本発明は、このような事情に鑑みてなされたもので、装置の側面に操作ボタンを設けた携帯端末装置において、一方の筐体を他方の筐体に対して相対変位させた場合に、その操作ボタンによる誤動作を防止し、操作機能の利便性の向上を図るようにした携帯端末装置を提供することを目的としている。
【０００６】
【課題を解決するための手段】
上記課題を解決するために、本発明は以下の手段を提供する。
本発明は、互いに重ね合わされる２つの筐体が、これら筐体の厚さ方向に延びる連結部を中心として回転可能に連結され、前記筐体の側面に設けられたサイドキーと、前記両筐体の相対的な回転位置に応じて、前記サイドキーを、前記側面から突出した位置と同側面下に没した位置との間において移動させる移動機構とを備えることを特徴とする。
【０００７】
また、本発明は、前記移動機構が、前記連結部と共に回転可能に設けられた回転部材と、該回転部材の回転動作を、前記サイドキーの出没方向の動作に変換する連動機構とを備えることが好ましい。
また、本発明は、前記回転部材がピニオンギアであり、前記連動機構がラックギアを含むことが好ましい。
また、本発明は、前記サイドキーが前記側面下に没した位置に配されたとき、該サイドキーの機能を無効にする切替スイッチを備えることが好ましい。
また、本発明は、前記両筐体が互いに重ね合わせられたとき、前記サイドキーが前記側面から突出した位置に配され、前記両筐体が互いに開かれたとき、前記サイドキーが前記側面下に没した位置に配されることが好ましい。
【０００８】
【発明の実施の形態】
以下、本発明の一実施形態に係る携帯端末装置について、図面を参照して説明する。本実施形態では、携帯端末装置として、携帯電話機に適用した場合を例に挙げて説明する。
【０００９】
図３および図４において、符号１は、本発明の第１の実施形態としての携帯電話機を示したものである。
携帯電話機１は、電話機能とカメラ機能とを具備するものであって、第１の筐体２および第２の筐体３を互いに重ね合わせ、その厚み方向に延びる軸線Ｏを有するヒンジ部４を中心として回転可能に連結してなるものである。
両筐体２，３は、フロントケース２ａ，３ａとリアケース２ｂ，３ｂとがそれぞれ重ね合わされて構成されたものである。
第１の筐体２のフロントケース２ａの表面にはテンキー等の各種操作キー７およびマイク６が設けられている。また、第２の筐体３のフロントケース３ａの表面には、表示部１１およびスピーカ５が設けられている。そして、第１の筐体２の側面部（側面）９には、フロントケース２ａとリアケース２ｂとの重ね合わせ部に開口部１０が形成されており、この開口部１０内にサイドキー２０が配置されている。
また、両筐体２，３のいずれか一方には、人物や景色などの被写体を撮影するための図示しないレンズ部が設けられている。
【００１０】
第１の筐体２と第２の筐体３とを連結する連結部は、両筐体２，３の長さ方向の端部に設けられたヒンジ部４を備えてなっている。ヒンジ部４は、図１および図２に示すように、第２の筐体３に固定されるとともに軸線を各筐体の厚み方向に位置させた主軸２１と、主軸２１を回転可能に保持する円盤部２６とを備えている。円盤部２６の外周には、湾曲部２６ｂと、主軸２１を中心として回転対象に平坦部２６ａとが形成されている。主軸２１は、図６（ａ）および（ｂ）に示すように、その先端に設けられた回転盤（回転部材）２２を備えており、回転盤２２の外周部には、ピニオンギア２３が設けられている。このピニオンギア２３は、両筐体２，３を相互に回転させたとき、第２の筐体３に固定された主軸２１に連動して、回転盤２２を介して回転させられるようになっている。
また、第１の筐体２には、図１および図２に示すように、各別のバネ２４によって主軸２１方向に付勢された一対の押圧部材２５が設けられており、この押圧部材２５が、平坦部２６ａおよび湾曲部２６ｂのいずれかに当接することにより、第１の筐体２に対する第２の筐体３の位置が適宜定位置に保持可能な構成となっている。
【００１１】
また、第１の筐体２内には、円盤部２６の近傍に、略角柱状の移動体２７が設けられており、この移動体２７には、その長さ方向の一端に押圧子２７ｂと、前記長さ方向と交差する方向の一端にラックギア２７ａとが設けられている。ラックギア２７ａは、両筐体２，３を相互に閉じた状態において、ピニオンギア２３に噛合された状態になっている。そして、移動体２７は、ガイドリブ２８によって、始点Ｐ１と終点Ｐ２との間を矢印ＡＢ方向に直線的に往復移動可能に支持されるとともに、図示しない付勢部材によって矢印Ｂ方向に常に付勢された状態になっている。さらに、移動体２７の進行方向の一方の端部には、切替スイッチ２９が配置されており、この切替スイッチ２９には移動体２７に向けて突出した作動子２９ａが設けられている。これにより、ピニオンギア２３が回転すると、ピニオンギア２３に噛合されたラックギア２７ａがその回転力を受け、これにより移動体２７がガイドリブ２８内を直線移動させられるようになっている。そして、移動体２７が切替スイッチ２９に向けて移動させられると、押圧子２７ｂが作動子２９ａに当接し、切替スイッチ２９のスイッチが切り替えられるようになっている。
【００１２】
一方、前記サイドキー２０は、図５（ａ）および（ｂ）に示すように、その長さ方向の中間部に設けられたブラケット２０ａと、ブラケット２０ａと反対方向に向けて突出した凸部２０ｂとを備えている。そして、ブラケット２０ａはピン４１を介してアーム４０の一端に軸Ｑを中心として回転可能に取り付けられている。この構成のもと、サイドキー２０は軸Ｑを中心として、矢印ＣＤ方向に回転可能な状態となっている。また、サイドキー２０には、長さ方向の一端に第１の筐体２の内方に向けて突出した押圧子２０ｃが設けられている。この押圧子２０ｃの近傍には、スイッチ４２が設けられており、サイドキー２０の凸部２０ｂを押圧し、サイドキー２０を回転軸Ｑを中心として回転させると、押圧子２０ｃがスイッチ４２の作動子４２ａに当接し、このスイッチ４２のＯＮ・ＯＦＦ状態を切り替えるようになっている。
【００１３】
アーム４０は、図１および図２に示すように、その長さ方向に沿って設けられた他のガイドリブ４３内において、矢印ＡＢ方向に直線的に往復移動可能に支持されている。このアーム４０の他端には、その長さ方向に交差する方向に向けられた他のアーム４４の一端が固定されており、他のアーム４４の他端は、前記移動体２７の長さ方向の他端に固定されている。これにより、移動体２７が前記直線移動させられると、これに伴ってアーム４４を介してアーム４０が矢印ＡＢ方向に移動させられ、これにより、サイドキー２０は、凸部２０ｂが第１の筐体２の側面から外方へ突出する位置から、第１の筐体２の側面下に没する位置までの間を移動させられるようになっている。
【００１４】
上記の構成において、両筐体２，３を相互に重ね合わせた状態においては、図１に示すように、移動体２７は始点Ｐ１に位置し、サイドキー２０は、凸部２０ｂが第１の筐体２の側面から外方へ突出する位置に配されるようになっている。この状態から、両筐体２，３を相互に回転させると、ピニオンギア２３を介して移動体２７が矢印Ｂ方向へ移動させられ、これにより、アーム４４，４０を介して、サイドキー２０が第１の筐体２の内方に向けて漸次移動させられるようになっている。そして、両筐体２，３を相互に略４５度に回転させると、移動体２７が終点Ｐ２に配され、このとき、凸部２０ｂは第１の筐体２の側面下に没する位置に配されるようになっている。すなわち、これらピニオンギア２３、ラックギア２７ａ、アーム４０，４４は移動機構として機能するものであり、さらにラックギア２７ａおよびアーム４０，４４は連動機構としても機能するものである。
【００１５】
次に、このように構成された本実施形態に係る携帯電話機１の作用について説明する。
両筐体２，３が互いに重ね合わされた状態から、例えば、着信信号を受信して通話を行う場合には、携帯電話機１の操作者が、両筐体２，３を相互に略１８０度開き、所定の操作キー７を押圧すると共に、スピーカ５を操作者の耳元に、マイク６を操作者の口元にそれぞれ近づけることにより通話を開始する。
また、本携帯電話機１は、カメラ機能を備えており、両筐体２，３を相互に開いた状態で、図示しないレンズ部を被写体に向け、所定の操作キー７を押圧することにより撮影がなされる。さらに、両筐体２，３を相互に重ね合わせた状態においても、サイドキー２０を押圧することにより、同様に撮影が可能となる。
【００１６】
この携帯電話機１においては、上記のように両筐体２，３を互いに重ね合わせた状態に配すると、図１に示すように、移動体２７は始点Ｐ１に配される。このとき、サイドキー２０は、その凸部２０ｂが側面部９から突出するように配置される。この状態において上記のように撮影する場合には、操作者が凸部２０ｂを押圧することにより、サイドキー２０が軸Ｑを中心として回転させられ、押圧子２０ｃによってスイッチ４２の作動子４２ａが押圧され、被写体が撮影される。
このように両筐体２，３を互いに重ね合わせた状態から、両筐体２，３を相互に回転させると、第２の筐体３に固定された主軸２１がその第２の筐体３の回転に合わせて回転させられる。このとき、主軸２１の先端に取り付けられた回転盤２２を介して、ピニオンギア２３も回転させられる。このピニオンギア２３の回転力を、ピニオンギア２３に噛合されたラックギア２７ａが受け、移動体２７が矢印Ｂ方向に直線移動させられる。さらに移動体２７の移動に伴い、アーム４４，４０を介して、サイドキー２０が第１の筐体２の内方に漸次移動させられる。
【００１７】
そして、両筐体２，３を互いに略４５度まで回転させると、図２に示すように、移動体２７が終点Ｐ２に配される。このとき、サイドキー２０は第１の筐体２内に収容され、凸部２０ｂが側面部９下に没した状態となる。また、このとき移動体２７の押圧子２７ｂが切替スイッチ２９の作動子２９ａを押圧し、切替スイッチ２９のスイッチがＯＮ状態に切り替えられる。そのため、スイッチ４２の作動子４２ａの押圧効果が無効となり、サイドキー２０による誤動作が防止される。
ここからさらに両筐体２，３を回転させると、ピニオンギア２３の端部がラックギア２７ａから離され、ピニオンギア２３とラックギア２７ａとが噛合しない状態となる。すなわち、両筐体２，３を相互に略４５度から１８０度になる間内を回転させる場合においては、ピニオンギア２３とラックギア２７ａとは噛合されず、移動体２７は開放された状態となる。この場合でも、移動体２７は、図示しない付勢部材によって矢印Ｂ方向に付勢されており、切替スイッチ２９のスイッチのＯＮ状態が保持される。
【００１８】
一方、両筐体２，３を相互に略１８０度開いた状態から、それらを互いに重ね合わせた状態にまで閉じるときには、上記と逆の動作により、移動体２７が始点Ｐ１に戻される。これにより切替スイッチ２９がＯＦＦ状態に切り替えられるとともに、サイドキー２０は凸部２０ｂが突出する位置に戻される。
【００１９】
以上より、本実施形態に係る携帯電話機１によれば、両筐体２，３を相互に重ね合わせた状態においても、サイドキー２０を押圧することによりカメラ機能を使用することができるとともに、両筐体２，３を相互に開いたときには、サイドキー２０が第１の筐体２の内部に収容されるため、意図しないサイドキー２０の押圧による誤動作を防止することができる。
また、両筐体２，３を相互に開くと、サイドキー２０が第１の筐体２の内部に収容されるとともに、切替スイッチ２９がＯＮ状態となり、スイッチ４２の機能が無効となるので、サイドキー２０による誤動作が確実に防止される。
さらに、切替スイッチ２９がＯＮ状態のとき、サイドキー２０の凸部２０ｂが側面部９から突出していると、サイドキー２０を押圧しても何の反応も起こらないため、装置の故障、不具合といった不安、誤解を操作者に抱かせるおそれがあるが、サイドキー２０を内部に収容することで、サイドキー２０が使用できない状態であることを操作者に明確に示すことができる。
【００２０】
図７（ａ）および（ｂ）は、本発明の第２の実施形態を示したものである。
図７（ａ）および（ｂ）において、図１に記載の構成要素と同一部分については同一符号を付し、その説明を省略する。
この実施の形態と上記第１の実施の形態とは基本的構成は同一であり、以下の点において異なるものとなっている。すなわち、この実施形態においては、主軸２１の先端部に設けられた回転盤２２の外周部に、その周方向に沿って略１８０度にわたって周壁部４５が延設されている。その周壁部４５の始端部には、作動突起４５ａが、その終端部には段部４５ｃを有する平坦部４５ｂが設けられている。また、第１の実施形態の移動体２７に相当する部材として、移動体４６が設けられている。この移動体４６には、その移動方向と交差する方向の一端に主軸２１側に向けられた突起部４６ａを有する構成とされ、この移動体４６は、図示しない付勢部材によって、矢印Ａ方向に常に付勢された状態となっている。
【００２１】
この構成において、両筐体２，３を相互に重ね合わせたときには、作動突起４５ａが移動体４６の幅方向の一端のうち、突起部４６ａが設けられた側の一端に配される。このとき、移動体４６は矢印Ａ方向に付勢されていることから、突起部４６ａは作動突起４５ａに当接し、これにより移動体４６のＡ方向の移動が規制される。この状態から、両筐体２，３を相互に回転させると、主軸２１の回転とともに、作動突起４５ａが回転させられ、この作動突起４５ａの回転力を突起部４６ａが受けることにより、移動体４６が矢印Ｂ方向に直線移動させられる。そして、両筐体２，３を互いに略４５度になる位置を越えて回転させると、作動突起４５ａが突起部４６ａを乗り越えて、突起部４６ａから離される。このときでも、突起部４６ａは周壁部４５に当接し、移動体４６の矢印Ａ方向の移動が規制されているため、切替スイッチ２９のＯＮ状態は保持される。
【００２２】
一方、両筐体２，３を相互に開いた状態から、相互に重ね合わせた状態に配するときは、作動突起４５ａが突起部４６ａを過ぎて元の位置に戻される。このとき、移動体４６は矢印Ａ方向に付勢されていることから、切替スイッチ２９から離され作動突起４５ａと突起部４６ａとが接触することにより、定位置に支持される。
これにより、上記の実施形態と同様の効果が得られる。
【００２３】
図８（ａ）および（ｂ）は、本発明の第３の実施形態を示したものである。
この実施の形態と上記第１の実施の形態とは基本的構成は同一であり、以下の点において異なるものとなっている。すなわち、この実施形態においては、主軸２１の先端部に設けられた回転盤２２の外周部に、突出部４９が設けられている。また、第１の実施形態の移動体２７に相当する部材として、移動体４７が設けられている。この移動体４７には、主軸２１側に向けられた面のうち、その長さ方向の両端に突起４７ａ，４７ｂが設けられており、これら突起４７ａ，４７ｂの間は、凹部４８とされている。そして、この移動体４７は、矢印ＡＢ方向に移動可能に支持されているが、それ自体では動かないようになっている。
【００２４】
この構成において、両筐体２，３を相互に重ね合わせたときには、突出部４９が移動体４７の凹部４８に嵌合された位置に配される。この状態から、両筐体２，３を相互に回転させると、主軸２１の回転とともに、突出部４９が回転させられ、この突出部４９の回転力を突起４７ａが受けることにより、移動体４７が矢印Ｂ方向に直線移動させられる。そして、両筐体２，３を互いに略４５度になる位置を越えて回転させると、突出部４９が凹部４８から離されるが、移動体４７はそれ自体では動かないようになっているため、切替スイッチ２９のＯＮ状態が保持される。
【００２５】
一方、両筐体２，３を相互に開いた状態から、相互に重ね合わせた状態に配するときは、突出部４９の先端が凹部４８内に移動させられ、この突出部４９の回転力を突起４７ｂが受け、移動体４７が元の位置に戻される。
これにより、上記の実施形態と同様の効果が得られるとともに、移動体４７を付勢する部材を設ける必要もない。
【００２６】
なお、上記の実施形態においては、ピニオンギア２３とラックギア２７ａを設けるとしたが、これに限ることはなく、ピニオンギア２３の回転数に応じて、中間ギア等を配置したり、適宜その構成を変更してもよい。
また、サイドキー２０をカメラのシャッターとして機能させるようにしたが、これに限ることはなく、例えば、表示部１１の照明のためのスイッチのように他の機能に割り当ててもよい。
さらに、本発明は携帯電話機１に限定されるものではなく、ＰＤＡ等の他の電子機器にも適用できることは言う迄もない。
【００２７】
【発明の効果】
以上のように、本発明によれば、筐体の側面に設けられたサイドキーを使用しない場合において、そのサイドキーの押圧による誤動作を防止することができる。
【図面の簡単な説明】
【図１】本発明の第１の実施形態として示した携帯電話機において、両筐体を相互に重ね合わせたときの筐体内部の様子を示す概略構成図である。
【図２】同実施形態に係る携帯電話機おいて、両筐体を相互に開いたときの筐体内部の様子を示す概略構成図である。
【図３】図１に示す携帯電話機を示す図であって、（ａ）は両筐体を相互に重ね合わせた状態を示す斜視図、（ｂ）は両筐体を相互に略４５度をなすように配した状態を示す斜視図である。
【図４】図１に示す携帯電話機を示す図であって、（ａ）は両筐体を相互に略９０度をなすように配した状態を示す斜視図、（ｂ）は両筐体を相互に略１８０度をなすように配した状態を示す斜視図である。
【図５】図１に示す携帯電話機のサイドキーの状態を示す図であって、（ａ）はサイドキーの開放状態を示す概略構成図、（ｂ）はサイドキーを押圧した状態を示す概略構成図である。
【図６】図１に示す携帯電話機の要部を示す図であって、（ａ）は両筐体を相互に重ね合わせたときの筐体内部の様子を示す斜視図、（ｂ）は両筐体を相互に開いたときの筐体内部の様子を示す斜視図である。
【図７】本発明に係る携帯端末装置の第２の実施形態の要部を示す図であって、（ａ）は両筐体を相互に重ね合わせたときの様子を示す概略構成図、（ｂ）は両筐体を相互に閉じたときの様子を示す概略構成図である。
【図８】本発明に係る携帯端末装置の第３の実施形態の要部を示す図であって、（ａ）は両筐体を相互に重ね合わせたときの様子を示す概略構成図、（ｂ）は両筐体を相互に閉じたときの様子を示す概略構成図である。
【符号の説明】
１    携帯電話機（携帯端末装置）
４    ヒンジ部
９    側面部（側面）
２０  サイドキー
２２  回転盤（回転部材）
２３  ピニオンギア（移動機構）
２７ａ  ラックギア（移動機構、連動機構）
２９  切替スイッチ
４０，４４  アーム（移動機構、連動機構）
【図１】
2005051301.tif 000003
【図２】
2005051301.tif 000004
【図３】
2005051301.tif 000005
【図４】
2005051301.tif 000006
【図５】
2005051301.tif 000007
【図６】
2005051301.tif 000008
【図７】
2005051301.tif 000009
【図８】
2005051301.tif 000010